(57)【特許請求の範囲】
【請求項１】
底壁、及びこの底壁から延びる少なくとも対向する一対の側壁を有するケースと、該ケースの前記底壁に設けられた固定接点部と、前記ケース内の前記固定接点部の上方にシーソー動作可能に配置された可動接点部と、前記一対の側壁に回動可能に取り付けられると共に前記可動接点部の上方に配置される駆動体と、前記駆動体の上方に配置され前記駆動体を元の位置に復帰させるための復帰用手段とを備え、前記駆動体は、前記可動接点部を可動するための作動部と、該作動部を回動させるための操作部と該駆動体の回転軸となる凸部とを有し、前記駆動体の凸部は、前記側壁に設けた凹部内に配設され回動可能で且つ上下方向に移動可能に保持されると共に前記駆動体は、前記復帰用手段によって前記底壁側に押圧付勢されており、前記駆動体の前記操作部が駆動された際、前記作動部が回動されて、前記作動部によって、前記可動接点部がシーソー動作して、前記可動接点部が前記固定接点部に接触すると共に、前記駆動体の前記作動部の回動時、前記作動部が可動接点部上を摺動して前記駆動体の凸部は、前記復帰用手段の付勢に抗して前記底壁側から離間する上方向に移動すると共に、前記操作部の駆動が解除された際、前記復帰用手段によって、前記駆動体は、前記可動接点部と前記固定接点部とが非接触状態と成るように元の状態に復帰することを特徴とするスイッチ装置。
【請求項２】
前記復帰用手段が、バネ部材から成ることを特徴とする請求項１記載のスイッチ装置。
【請求項３】
前記バネ部材が、バネ性のある平板によって形成されたことを特徴とする請求項２記載のスイッチ装置。
【請求項４】
前記ケースが四方を囲む側壁と、上方に設けられた開口部とを有し、該開口部が前記平板によって形成された前記バネ部材によって覆われていることを特徴とする請求項３記載のスイッチ装置。
【請求項５】
前記バネ部材が前記ケースの前記側壁にスナップ係合されていることを特徴とする請求項２、３、又は４に記載のスイッチ装置。
【請求項６】
前記ケースには、前記駆動体の前記操作部の回動範囲を規制するストッパ部が設けられていることを特徴とする請求項１乃至５のいずれか一つに記載のスイッチ装置。
【請求項７】
前記駆動体の前記操作部が前記ケースの外に位置すると共に、前記ストッパ部が前記ケースの外に配設され、前記操作部が前記ストッパ部にぶつかって、回動範囲の規制がされることを特徴とする請求項６に記載のスイッチ装置。
【請求項８】
前記側壁の上端には、上部が開放された前記凹部が設けられ、この前記凹部内には、上方から前記凸部を嵌入したことを特徴とする請求項１乃至７のいずれか一つに記載のスイッチ装置。
【請求項９】
前記可動接点部は、平坦部と、該平坦部の一方の端部から傾斜した状態で延設された立ち上がり部と、該立ち上がり部の一方の端部から延設され、前記固定接点部に接離する接点部とを有し、前記可動接点部がシーソー運動可能に支持されたことを特徴とする請求項１乃至８のいずれかひとつに記載のスイッチ装置。
【請求項１０】
前記可動接点部は、前記作動部の押圧が前記平坦部から前記立ち上がり部に変位することによって、シーソー動作を行って、前記可動接点部が前記固定接点部に接触すると共に、前記作動部の押圧が前記立ち上がり部から前記平坦部に変位することによって、元の状態になるようにシーソー動作を行って、前記可動接点部が前記固定接点部から非接触となることを特徴とする請求項９に記載のスイッチ装置。
【請求項１１】
前記固定接点部は、前記可動接点部に常時接触されて、前記可動接点部を支持する第１固定接点と、前記可動接点部と接離する第２固定接点とを有し、前記可動接点部が、前記第１固定接点を支点として、シーソー運動を成すようにしたことを特徴とする請求項９、又は１０に記載のスイッチ装置。
【請求項１２】
前記固定接点部は、第３固定接点を有し、前記駆動体の非駆動時、前記可動接点部が前記第１固定接点と前記第３固定接点とに接触されて、前記第１、第３固定接点間がオン状態となっており、前記駆動体が駆動されたときに前記可動接点部の前記平坦部が前記第３固定接点から離間し、前記第１、第３固定接点間がオフ状態となると共に、前記可動接点部が前記第２固定接点に接触して、前記第１、第２固定接点間がオン状態になるようにしたことを特徴とする請求項１１に記載のスイッチ装置。
【請求項１３】
前記固定接点部と、前記可動接点部と、前記駆動体と、前記復帰用手段とによって、一組のスイッチ素子を構成して、二組の該スイッチ素子をケース内に並設したことを特徴とする請求項１乃至１２のいずれかひとつに記載のスイッチ装置。
【請求項１４】
二組の前記スイッチ素子の一部を構成する二つの前記可動接点部は、それぞれの前記平坦部の向きが逆になるように、前記ケースに対して互い違いに配設したことを特徴とする請求項１３に記載のスイッチ装置。
【請求項１５】
平板で形成された一つの前記バネ部材を有し、前記バネ部材は、スリットと、スリットの両側に位置する第１、第２のバネ部が設けられ、該第１、第２のバネ部が前記ケースの上部を覆うように配設され、二組の前記スイッチ素子の一部を構成する一方の前記駆動体が前記第１のバネ部によって押圧されると共に、他方の前記駆動体が前記第２のバネ部によって押圧されたことを特徴とする請求項１３、又は１４に記載のスイッチ装置。
【発明の詳細な説明】
【０００１】
【発明の属する技術分野】
本発明は、スイッチ装置に関し、特に、車載用のパワーウインドウ装置の駆動に用いて好適なスイッチ装置に関する。
【０００２】
【従来の技術】
従来のスイッチ装置を図面を用いて説明すると、図１８は、従来のスイッチ装置を示す分解斜視図、図１９は、従来のスイッチ装置を示す断面図である。
この従来のスイッチ装置は、いわゆる、二組のスイッチ素子を有する双極・双投型のスイッチ装置である。
【０００３】
筐体８１は、略箱形のケース８２と、ケース８２内にインサートモールド加工され、一部がケース８２から外方に延設され、金属製材料から成る複数個の固定接点部８３とを有している。
【０００４】
ケース８２は、底壁８２ａと、四方を囲む側壁８２ｂと、一方の対向する側壁８２ｂと平行な仕切り壁８２ｃと、側壁８２ｂと仕切り壁８２ｃとの上方に設けられた２つの開口部８２ｄとを有している。
【０００５】
固定接点部８３は、第１、第２、及び第３固定接点（図示せず）を有し、各第１、第２、及び第３固定接点（図示せず）からそれぞれ第１、第２、及び第３端子８３ａ、８３ｂ、８３ｃが外方に延設されている。
この固定接点部８３は、ケース８２の底壁８２ａにインサート加工され、第１、第２、及び第３固定接点（図示せず）の一部が底壁８２ａから表面に露出して配設されると共に、第１、第２、及び第３端子８３ａ、８３ｂ、８３ｃが一方の側壁８２ｂから外方に延設されている。
【０００６】
また、この固定接点部８３は、二個（二組）がケース８２に対して対称的な位置に配設されている。
【０００７】
可動接点部８４は、左右対称にほぼＭ字状に形成されていて、Ｍ字状の中央部の第１可動接点８４ａと、第１可動接点８４ａを挟んで両自由端側に設けられた第２、及び第３可動接点８４ｂ、８４ｃとを有している。
この可動接点部８４は、第１可動接点８４ａが第１固定接点（図示せず）上に当接して載置されると共に、第２可動接点８４ｂが第２固定接点（図示せず）に対向し、第３可動接点８４ｃが第３固定接点（図示せず）に対向するように配設されている。
【０００８】
即ち、可動接点部８４は、ケース８２内に収納されている。
また、この可動接点部８４は、二個配設されており、それぞれが前述の如く各固定接点部８３上に配設されている。
また、この可動接点部８４は、第１可動接点８４ａを支点としてシーソー運動可能に配設されている。
【０００９】
駆動体８５は、略箱形の基体部８５ａと、基体部８５ａの下方端に配設された蒲鉾状（半円弧状）の一対の駆動部８５ｂとを有している。
この駆動体８５は、駆動部８５ｂの先端部が可動接点部８４のＭ字状の中央部の第１可動接点８４ａ上に当接・配置されている。
【００１０】
蓋体部材８６は、矩形の上壁８６ａと、上壁８６ａの四方を囲む側壁８６ｂと、一方の対向する側壁８６ｂの中央部から上方に延設された取付部８６ｃと、一対の取付部８６ｃの上方端の近傍に同軸上に設けられた貫通孔８６ｄと、一対の取付部８６ｃの間に設けられた矩形の開口部８６ｅとを有している。
【００１１】
この蓋体部材８６は、上壁８６ａがケース８２の２つの開口部８２ｄを覆うように、例えば、スナップ係合などの適宜手段にてケース８２の上部に係合されている。このとき、蓋体部材８６の開口部８６ｅ内に駆動体８５の基体部８５ａが配設されている。
【００１２】
バネ部材８７は、いわゆるコイルバネによって、構成されており、このバネ部材８７は、駆動体８５の基体部８５ａ内に適宜手段によって配設されている。
【００１３】
操作ツマミ部材８８は、矩形のツマミ部８８ａと、ツマミ部８８ａの中央部から下方に延設される四方が囲まれた矩形の収納部８８ｂと、収納部８８ｂの一方の対向する外表面から外方に突出する一対の円柱状の凸部８８ｃとを有している。
【００１４】
この操作ツマミ部材８８は、収納部８８ｂが蓋体部材８６の開口部８６ｅ内に挿入・配置されていると共に、収納部８８ｂ内にバネ部材８７が配設された駆動体８５を配設する。
また、操作ツマミ部材８８の一対の凸部８８ｃが蓋体部材８６の各貫通孔８６ｄ内に挿通されて、取り付けられている。
【００１５】
この状態のとき、バネ部材８７の弾圧力によって、駆動体８５の駆動部８５ｂが可動接点部８４の第１可動接点８４ａを固定接点部８３の第１固定接点（図示せず）に付勢している。
【００１６】
また、操作ツマミ部材８８は、一対の凸部８８ｃを支点として揺動動作（時計方向、又は反時計方向に）をすることができるように構成されており、この操作ツマミ部材８８の揺動動作によって、駆動体８５が揺動される。
そして、この駆動体８５の揺動によって、駆動体８５の一対の駆動部８５ｂがＭ字状に形成された可動接点部８４をシーソー動作させ、この可動接点部８４のシーソー動作によって、可動接点部８４の第２、又は第３可動接点８４ｂ、８４ｃが、固定接点部８３の第２、又は第３固定接点（図示せず）に接離するように構成されている。
【００１７】
【発明が解決しようとする課題】
しかしながら、従来のスイッチ装置では、ケース上に比較的大型の大きさの蓋体部材が配置されると共に、操作ツマミ部材が、蓋体部材に揺動可能に取り付けられていることから、スイッチ装置の全体構成が大型化するという問題がある。また、従来のスイッチ装置では、部品点数が多くなり、よって組立工数が多く成ることから高価となって、安価なスイッチ装置を提供することが出来ないという問題がある。
更に、予め操作ツマミ部材にバネ部材を介して組み込んでおく必要があり、組立が容易でないという問題がある。
【００１８】
本発明のスイッチ装置は、上述の問題点を解決するもので、その目的は、組立が容易で、小型化可能、及び薄型化可能であるスイッチ装置を提供することである。
【００１９】
【課題を解決するための手段】
本発明のスイッチ装置は、底壁、及びこの底壁から延びる少なくとも対向する一対の側壁を有するケースと、ケースの底壁に設けられた固定接点部と、ケース内の固定接点部の上方にシーソー動作可能に配置された可動接点部と、一対の側壁に回動可能に取り付けられると共に可動接点部の上方に配置される駆動体と、駆動体の上方に配置され駆動体を元の位置に復帰させるための復帰用手段とを備え、駆動体は、可動接点部を可動するための作動部と、作動部を回動させるための操作部と駆動体の回転軸となる凸部とを有し、駆動体の凸部は、側壁に設けた凹部内に配設され回動可能で且つ上下方向に移動可能に保持されると共に駆動体は、復帰用手段によって底壁側に押圧付勢されており、駆動体の操作部が駆動された際、作動部が回動されて、作動部によって、可動接点部がシーソー動作して、可動接点部が固定接点部に接触すると共に、駆動体の作動部の回動時、作動部が可動接点部上を摺動して駆動体の凸部は、復帰用手段の付勢に抗して底壁側から離間する上方向に移動すると共に、操作部の駆動が解除された際、復帰用手段によって、駆動体は、可動接点部と固定接点部とが非接触状態と成るように元の状態に復帰することである。
かかる構成によって、従来のスイッチ装置では、可動接点部を弾圧するバネ部材が、操作ツマミ部材と駆動体との間に弾圧された状態で配設されているので、操作ツマミ部材が必須の構成部材となり、このことから６個の部品種類（点数）が必要となるが、一方、このスイッチ装置における通常の状態では、操作ツマミ部材が配設されることがなく、側壁に回動可能に取り付けられた駆動体と、駆動体を元の位置に復帰させるための復帰用手段とを有する４個の部品種類（点数）によって構成することが出来、部品点数が少ないことから組み立てが容易で、小型化可能なスイッチ装置を提供することが出来る。
また、かかる構成によって、このスイッチ装置では、このスイッチ装置を操作するための操作ツマミをこのスイッチ装置とは、別体に配設することが出来ることから、スイッチ装置を標準化することが出来、量産効果によるコストダウンをすることが出来る。
また、かかる構成によって、駆動体とバネ部材との配置と動作が単純であることから構成が容易で、安価なスイッチを提供することが出来る。また、バネ部材の動作が単純であることから、駆動体の動作に無理がなく、安定した性能のスイッチ装置を提供することが出来る。また、ケースへの駆動体の取り付けが容易であり、組み立てが簡単で安価なスイッチ装置を提供することが出来る。また駆動体の凸部と、ケースの凹部との形成が一層容易で、組み立てが簡単で安価なスイッチ装置を提供することが出来る。また、駆動体の凸部が凹部内を上下方向に移動可能であることから、凸部に無理な力が掛からず、長期間安定した性能を保持するスイッチ装置を提供することが出来る。
【００２０】
また、本発明のスイッチ装置は、復帰用手段が、バネ部材から成ることである。
かかる構成によって、バネ部材は、形成が容易で安価なスイッチ装置を提供することが出来る。
【００２２】
また、本発明のスイッチ装置は、バネ部材が、バネ性のある平板によって形成されたことである。
かかる構成によって、バネ部材をプレス加工によって形成することが出来るので、バネ部材の形成が容易で、安価なスイッチ装置を提供することが出来る。
【００２３】
また、本発明のスイッチ装置は、ケースが四方を囲む側壁と、上方に設けられた開口部とを有し、開口部が平板によって形成されたバネ部材によって覆われていることである。
かかる構成によって、側壁とバネ部材とによってケースが密閉されることから、スイッチ素子内に異物が入り込むことが無くなり、安定した性能のスイッチ装置を提供することが出来る。
【００２４】
また、本発明のスイッチ装置は、バネ部材がケースの側壁にスナップ係合されていることである。
かかる構成によって、組立が容易で、確実なスイッチ装置を提供することが出来る。
【００２６】
また、本発明のスイッチ装置は、ケースには、駆動体の操作部の回動範囲を規制するストッパ部が設けられていることである。
かかる構成によって、ストッパ部によって、操作部の回動範囲が規制されるので、回動範囲が安定し、確実な動作のできるスイッチ装置を提供する。
【００２７】
また、本発明のスイッチ装置は、駆動体の操作部がケースの外に位置すると共に、ストッパ部がケースの外に配設され、操作部がストッパ部にぶつかって、回動範囲の規制がされることである。
かかる構成によって、ケースの外に操作部が位置していることから、操作部の操作が容易にでき、操作、及び構成の簡単なスイッチ装置を提供する。
【００３０】
また、本発明のスイッチ装置は、側壁の上端には、上部が開放された凹部が設けられ、この凹部内には、上方から凸部を嵌入したことである。
かかる構成によって、凸部を上方から嵌入することが出来るので、組立が一層簡単で安価なスイッチ装置を提供することが出来る。
【００３２】
また、本発明のスイッチ装置では、可動接点部は、平坦部と、平坦部の一方の端部から傾斜した状態で延設された立ち上がり部と、立ち上がり部の一方の端部から延設され、固定接点部に接離する接点部とを有し、可動接点部がシーソー運動可能に支持されたことである。
かかる構成によって、可動接点部の構成が、シーソー運動可能であって、非対称に形成されているので、固定接点部上に配設する際に、可動接点部の方向が特定でき、確実な組み込みをすることが出来るスイッチ装置を提供する。
【００３３】
また、本発明のスイッチ装置では、可動接点部は、作動部の押圧が平坦部から立ち上がり部に変位することによって、シーソー動作を行って、可動接点部が固定接点部に接触すると共に、作動部の押圧が立ち上がり部から平坦部に変位することによって、元の状態になるようにシーソー動作を行って、可動接点部が固定接点部から非接触となることである。
かかる構成によって、可動接点部のシーソー動作が、駆動体の作動部の単純な動作によって行うことが出来るので、安定した動作のスイッチ装置を提供することが出来る。
【００３４】
また、本発明のスイッチ装置では、固定接点部は、可動接点部に常時接触されて、可動接点部を支持する第１固定接点と、可動接点部と接離する第２固定接点とを有し、可動接点部が、第１固定接点を支点として、シーソー運動を成すようにしたことである。
かかる構成によって、可動接点部のシーソー運動の支点を第１固定接点としたことで、第１固定接点と可動接点部とが常時接触された単純な構成によって行うことが出来るので、安価なスイッチ装置を提供することが出来る。
【００３５】
また、本発明のスイッチ装置では、固定接点部は、第３固定接点を有し、駆動体の非駆動時、可動接点部が第１固定接点と第３固定接点とに接触されて、第１、第３固定接点間がオン状態となっており、駆動体が駆動されたときに可動接点部の平坦部が第３固定接点から離間し、第１、第３固定接点間がオフ状態となると共に、可動接点部が第２固定接点に接触して、第１、第２固定接点間がオン状態になるようにしたことである。
かかる構成によって、部品点数の少ない、安価な単極・双投型のスイッチ装置を提供することが出来る。
【００３６】
また、本発明のスイッチ装置は、固定接点部と、可動接点部と、駆動体と、復帰用手段とによって、一組のスイッチ素子を構成して、二組のスイッチ素子をケース内に並設したことである。
かかる構成によって、部品点数の少なく、組立が簡単で安価な双極・双投型のスイッチ装置を提供することが出来る。
【００３７】
また、本発明のスイッチ装置では、二組のスイッチ素子の一部を構成する二つの可動接点部は、それぞれの平坦部の向きが逆になるように、ケースに対して互い違いに配設したことである。
かかる構成によって、非対称の二つの可動接点部をケースに対して互い違いに配設したので、ケースの長手方向の寸法を短い寸法で形成出来、小型化が可能なスイッチ装置を提供することが出来る。
【００３８】
また、本発明のスイッチ装置では、平板で形成された一つのバネ部材を有し、バネ部材は、スリットと、スリットの両側に位置する第１、第２のバネ部が設けられ、第１、第２のバネ部がケースの上部を覆うように配設され、二組のスイッチ素子の一部を構成する一方の駆動体が第１のバネ部によって押圧されると共に、他方の駆動体が第２のバネ部によって押圧されたことである。
かかる構成によって、第１、第２のバネ部にて、一方、又は他方の各駆動体を個別に操作をすることが出来ることから、操作の方法が多様化でき、多機能なスイッチ装置を提供することが出来る。
【００３９】
【発明の実施の形態】
以下、本発明のスイッチ装置についての図面を説明すると、図１は、本発明のスイッチ装置の第１の実施の形態を示す分解斜視図、図２は、本発明のスイッチ装置の第１の実施の形態を示す斜視図、図３は、本発明のスイッチ装置に係わるケースと固定接点部の実施の形態を示す平面図、図４は、本発明のスイッチ装置に係わり、スイッチ装置からバネ部材を取り外した状態を示す平面図、図５は、本発明のスイッチ装置に係わる駆動体の実施の形態を示す斜視図、図６は、図２の６−６線における断面図である。
【００４０】
筐体１は、絶縁性合成樹脂材料から成り、成形加工によって形成された略箱形のケース２と、ケース２内にインサートモールド加工され、一部がケース２から外方に延設され、金属材料から成る複数組の固定接点部３とを有している。
【００４１】
ケース２は、矩形の底壁２ａと、底壁２ａから前方に延設され、一方の対向する第１側壁２ｂと他方の対向する第２側壁２ｃと、対向する各第１側壁２ｂの略中間の位置に配設された第３側壁２ｄと、第１の開口部２ｅと、第１の開口部２ｅに並設された第２の開口部２ｆとを有している。
なお、第１側壁２ｂと第２側壁２ｃとによって、四方を囲む側壁が構成されると共に、第３側壁２ｄによって、ケース２内に二つの第１、第２収納部２ｇ、２ｈが形成されている。
【００４２】
また、一対の第１側壁２ｂとひとつの第３側壁２ｄとには、第１、第３側壁２ｂ、２ｄのそれぞれの上端に設けられた上部が開放されたそれぞれ一対の凹部２ｊ、２ｋが設けられている。
そして、一方の一対の凹部２ｊと他方の一対の凹部２ｋとのそれぞれの軸線は、第１、第３側壁２ｂ、２ｄの内・外側面に対して直交する方向であって、互いに平行であるような位置に配置されている。
【００４３】
即ち、一方の一対の凹部２ｊは、一方の第１側壁２ｂとひとつの第３側壁２ｄとの同軸上に設けられていると共に、他方の一対の凹部２ｋは、他方の第１側壁２ｂとひとつの第３側壁２ｄとの同軸上に設けられている。
このことから、第３側壁２ｄには、ひとつの凹部２ｊとひとつの凹部２ｋとが平行位置に並設されて形成されている。
【００４４】
また、一対の第１側壁２ｂの対向する各外側壁面には、各凹部２ｊ、２ｋのそれぞれの近傍に一対のストッパ部２ｎが設けられている。
また、一対の第２側壁２ｃの対向する各外側壁面には、それぞれ２個の突部２ｍが設けられている。
また、前記それぞれ一対の凹部２ｊ、２ｋの下部には、上面が円弧状のそれぞれ一対の支持部２ｐ、２ｑが設けられている。
【００４５】
固定接点部３は、導電金属製材料から成り、プレス加工によって形成され、中央部に設けられた第１固定接点３ａと、第１固定接点３ａの近傍に配設された第２固定接点３ｂと、第１固定接点３ａの近傍で、第２固定接点３ｂに対して第１固定接点３ａを挟んだ位置に配設された第３固定接点３ｃとを有している。
この第１、第２、及び第３固定接点３ａ、３ｂ、３ｃを一組の固定接点部３として、二組の固定接点部３がケース２に対して互い違いの位置に配設されている。
【００４６】
そして、第１固定接点３ａは、第１接触部３ｄと、第１接触部３ｄから延設された第１端子３ｅとを有している。
また、第２固定接点３ｂは、第２接触部３ｆと、第２接触部３ｆから延設された第２端子３ｇとを有している。
また、第３固定接点３ｃは、第３接触部３ｈと、第３接触部３ｈから延設された第３端子３ｊとを有している。
【００４７】
そして、第１接触部３ｄと第２接触部３ｆと第３接触部３ｈとは、ケース２の底壁２ａにそれぞれ表面の一部が露出した状態に配設されている。また、第１端子３ｅと第２端子３ｇと第３端子３ｊとは、ケース２の対向する第１側壁２ｂからほぼ等間隔の位置でそれぞれ外方に延設されている。
【００４８】
可動接点部４は、導電金属製の平板材料から成り、プレス加工によって形成され、一方の端部側に形成された平坦部４ａと、平坦部４ａの一方の端部から傾斜した状態で延設された立ち上がり部４ｂと、立ち上がり部４ｂの一方の端部から延設された接点部４ｃとを有している。
即ち、この可動接点部４は、左右が非対称の形状に形成されている。
また、平坦部４ａと立ち上がり部４ｂとの境界には、２つで一対の係止突起４ｄが二組形成されている。
【００４９】
この各可動接点部４は、前記二組の係止突起４ｄで、前記ケース２の一対の前記支持部２ｐ、又は２ｑを挟み込んで、ケース２の二つの第１、第２収納部２ｇ、２ｈ内に、収納・配置されると共に、各第１、第２収納部２ｇ、２ｈ内にて、各第１固定接点３ａを支点として、シーソー運動を成すことが出来るように配設されている。このとき、各可動接点部４は、各第１、第２収納部２ｇ、２ｈ内に平坦部４ａの向きが逆であるように、ケース２に対して互い違いに配設されている。
【００５０】
駆動体５は、絶縁性合成樹脂材料から成り、成形加工によって形成され、断面が小判状で所定の厚さ寸法に形成された作動部５ａと、作動部５ａの前方端であって、作動部５ａの対向面と直交する方向にそれぞれ延設された円柱状の軸部を構成する一対の凸部５ｂと、一方の凸部５ｂの先端部から作動部５ａの対向面に対して平行で、且つ、作動部５ａの延設された後方端と凸部５ｂの軸心とに対して直交する方向に延設された角柱状のレバー部５ｃとを有している。
【００５１】
ここで、一対の前記凸部５ｂと、前記レバー部５ｃとで、前記作動部５ａを回動させるための操作部が構成されている。
【００５２】
そして、作動部５ａと、凸部５ｂと、レバー部５ｃとは、概略、ｘ−ｙ−ｚ軸方向上である三方向にそれぞれ延設されている。
また、凸部５ｂは、作動部５ａ側に設けられた太径部５ｄと、作動部５ａから離間する側に設けられた細径部５ｅとを有している。
【００５３】
そして、前記レバー部５ｃは、一方の細径部５ｅの先端部から直交するように延設されている。
この駆動体５は、一対の凸部５ｂの細径部５ｅが、前記ケース２の前記第１、第３側壁２ｂ、２ｄのそれぞれの上端に設けられた上部が開放された一対の凹部２ｊ内に配設され、駆動体５の作動部５ａが前記ケース２に回動自在に取り付けられている。
【００５４】
即ち、一対の凹部２ｊ内には、ケース２の上方から一対の凸部５ｂを嵌入することが出来るように構成されている。また、このとき、前記第１、第３側壁２ｂ、２ｄの一対の凹部２ｊの幅寸法は、駆動体５の一対の凸部５ｂの径寸法とほぼ等しい幅寸法を有して設けられ、一対の凸部５ｂが一対の凹部２ｊ内を上下方向に移動可能に配設されている。
【００５５】
また、このとき、駆動体５のレバー部５ｃは、一方の第１側壁２ｂの外側壁面と対向するように、ケース２の外側に位置すると共に、レバー部５ｃは、ストッパ部２ｎの近傍に配設されている。
【００５６】
なお、上述の如く、ここでは、一方の一対の凹部２ｊと一対の凸部５ｂとの構成について、記述したが、他方の一対の凹部２ｋと一対の凸部５ｂとの構成については、それぞれのレバー部５ｃの向きが、ケース２に対して互い違いに配設されていること以外は、同様の構成であることから説明は、省略する。
【００５７】
復帰用手段としてのバネ部材６は、例えば、ステンレス材（ＳＵＳ）などの弾性を有する金属製の平板材料から成り、プレス加工によって形成され、直線状のスリット６ａと、スリット６ａの両側に位置し、並設された第１、及び第２のバネ部６ｂ、６ｃと、第１、及び第２のバネ部６ｂ、６ｃの対向する一方の端部から略垂直に下方に延びる一対の側壁６ｄと、各側壁６ｄに設けられた２個の貫通孔６ｅとを有している。
【００５８】
また、第１、及び第２のバネ部６ｂ、６ｃは、それぞれ中央部の平板状の抑え部６ｆと、抑え部６ｆの対向する両端部から傾斜する傾斜部６ｇとを有している。この一対の抑え部６ｆと一対の傾斜部６ｇとの間にスリット６ａが配設されている。
【００５９】
また、上述の固定接点部３と、可動接点部４と、駆動体５と、復帰用手段としてのバネ部材６（第１、又は第２のバネ部６ｂ、６ｃ）とによって、一組のスイッチ素子が構成されている。このスイッチ素子は、その構成の一部が、それぞれ第１、第２収納部２ｇ、２ｈ内に配設され、ケース２内に二組のスイッチ素子がケース２に対して互い違いの向きに配設されている。
【００６０】
このバネ部材６は、並設された第１、及び第２のバネ部６ｂ、６ｃが、ケース２の上部に形成された第１、第２の開口部２ｅ、２ｆをそれぞれ覆うように配設される。
また、第１、及び第２のバネ部６ｂ、６ｃによって、二組のスイッチ素子の一部を構成する一方の駆動体５が第１のバネ部６ｂにて押圧されると共に、他方の駆動体５が第２のバネ部６ｃにて押圧されるように配設されている。
【００６１】
また、このとき、バネ部材６の一対の側壁６ｄの各貫通孔６ｅが、ケース２の各突部２ｍにスナップイン係合され、バネ部材６がケース２に確実に取付られている。
【００６２】
更に、また、このとき、一方、及び他方の各駆動体５の作動部５ａの自由端が可動接点部４の平坦部４ａと立ち上がり部４ｂとの連設部分（平坦部４ａ側）を押圧し、この押圧によって、可動接点部４が第１固定接点３ａと第３固定接点３ｃとに接触されて、第１、第３固定接点３ａ、３ｃ間がオン状態になっていると共に、第１固定接点３ａと第２固定接点３ｂとが離間されて、第１、第２固定接点３ａ、３ｂ間がオフ状態になっている。
【００６３】
ここで、上述のスイッチ装置は、図７、図８に示すように、このスイッチ装置を操作するためのツマミ部材７がスイッチ装置の上方に、例えば操作筐体（図示せず）にスイッチ装置に対して揺動可能に配設されている。
【００６４】
ここで、このツマミ部材７について説明すると、図７は、本発明のスイッチ装置に係わり、スイッチ装置とこのスイッチ装置を操作するツマミ部材とを説明する一部断面にした正面図、図８は、本発明のスイッチ装置に係わり、スイッチ装置とこのスイッチ装置を操作するツマミ部材とを説明する一部断面にした側面図である。
【００６５】
図７、及び図８に示すように、ツマミ部材７は、曲面によって形成された上壁部７ａと、上壁部７ａの四方を囲み、緩やかな傾斜を有する側壁部７ｂと、対向する一方の側壁部７ｂの略中央部に設けられた一対の貫通孔７ｃと、上壁部７ａの内表面の所定の互い違いの箇所から下方に延設された二本の操作部７ｄ、７ｅとを有している。
【００６６】
この二本の操作部７ｄ、７ｅの先端部は、側壁部７ｂの下方端から外方に突出されている。
また、このツマミ部材７は、一対の貫通孔７ｃに図示していない例えば、操作筐体に設けられた一対の凸部（図示せず）が挿入されて、ツマミ部材７が操作筐体に対して揺動可能に配設されている。
【００６７】
また、前記スイッチ装置は、例えば、プリント配線基板８上に例えば、半田付けなどの適宜手段にて取り付けられていると共に、ツマミ部材７の二本の操作部７ｄ、７ｅが、スイッチ装置の各駆動体５のそれぞれのレバー部５ｃに当接した状態に配設されている。
即ち、ツマミ部材７は、スイッチ装置とは、別体に構成され、スイッチ装置の上方に適宜手段によって配設されている。
【００６８】
次に、本発明のスイッチ装置の組立方法について説明する。
先ず、ケース２と固定接点部３とを有する筐体１を、第１、第２の開口部２ｅ、２ｆを上面側にして、所定の組み込み搬送治具（図示せず）上に載置する。
次に、ケース２の第１、第２の開口部２ｅ、２ｆから一対（二個）の可動接点部４を互い違いの向きであるように各固定接点部３上にそれぞれ挿入・配置する。
【００６９】
この各可動接点部材４のケース２内への配置によって、各可動接点部材４は、それぞれ第１、第２収納部２ｇ、２ｈ内に適宜手段によって配設されると共に、各可動接点部材４の略中央部が、固定接点部３の第１固定接点３ａ上にシーソー運動可能に載置される。
【００７０】
次に、駆動体５の作動部５ａの自由端側を下向きにし、一対の凸部５ｂをケース２の一方、及び他方の各一対の凹部２ｊ、２ｋ内にそれぞれ嵌入する。このとき、各レバー部５ｃは、それぞれの対向する第１側壁２ｂの外側に位置するように配設される。
このとき、作動部５ａの自由端が、可動接点部４の平坦部４ａと立ち上がり部４ｂとの連設部分の近傍に当接された状態に配設されている。
【００７１】
次に、バネ部材６の第１、及び第２のバネ部６ｂ、６ｃがケース２の上部側である第１、及び第２の開口部２ｅ、２ｆを覆うように配設され、バネ部材６の各貫通孔６ｅが、ケース２の突部２ｈにスナップイン係合されて、バネ部材６がケース２（筐体１）に取り付けられる。
【００７２】
このとき、第１、及び第２のバネ部６ｂ、６ｃが各駆動体５の作動部５ａの頂部（上部）を僅かに底壁２ａ方向に弾圧した状態で取り付けられ、この弾圧によって、作動部５ａの自由端（下部）が可動接点部４を固定接点部３に当接した状態で取り付けられる。
【００７３】
上述の如く、このスイッチ装置は、固定接点部３が配設されたケース２（筐体１）内に、上方向から、順次、可動接点部４、駆動体５、及び復帰用手段としてのバネ部材６を収納・載置することによって、組立を行うことが出来るように構成されている。
【００７４】
次に、本発明のスイッチ装置の動作について説明すると、図９は、本発明のスイッチ装置の動作を説明する第１の動作説明図、図１０は、本発明のスイッチ装置の動作を説明する断面図、図１１は、本発明のスイッチ装置の動作を説明する第２の動作説明図である。
【００７５】
先ず、図７に示すように、ツマミ部材７を何れの方向にも傾けず、各駆動体５を中立位置に置いた時には、二組のスイッチ素子は、それぞれの可動接点部４が各第１固定接点３ａと各第３固定接点３ｃとに接触されて、各第１、第３固定接点３ａ、３ｃ間がオン（接触）状態になっていると共に、各第１固定接点３ａと各第２固定接点３ｂとが離間されて、各第１、第２固定接点３ａ、３ｂ間がオフ（非接触）状態の第１の切り替え状態になっている。
【００７６】
即ち、ケース２内に互い違い（背中合わせ）に配設されている二組のスイッチ素子は、同様の第１の切り替え状態になっている。
【００７７】
次に、図７に示す状態から、ツマミ部材７の上壁部７ａの一方の端部（図７の右側）を押圧して、ツマミ部材７を貫通孔７ｃを中心にして時計回り方向に回動させると、一方の駆動体５のレバー部５ｃ（図９の前面側のレバー部５ｃ）は、ツマミ部材７の一方の操作部７ｅがこのレバー部５ｃから離間されることから図９の前面側のスイッチ素子は、第１の切り替え状態を保持する。
【００７８】
一方、このツマミ部材７の他方の操作部７ｄの回動によって、他方の駆動体５のレバー部５ｃ（図９の後面側のレバー部５ｃ）は、このレバー部５ｃが回動され、このレバー部５ｃの回動によって、他方の駆動体５の作動部５ａが他方の可動接点部４の平坦部４ａから立ち上がり部４ｂ上（図１０参照）を摺動（変位）して、他方の可動接点部４が第１固定接点３ａを支点に回動させられ他方の可動接点部４の接点部４ｃと第２固定接点３ｂとが接触してオンとなり、第１固定接点３ａと第２固定接点３ｂとが離間されてオフ（非接触）となる第２の切り替え状態となる。
【００７９】
また、この状態のとき、他方の駆動体５の一対の凸部５ｂが、ケース２の一対の凹部２ｋ内をバネ部材６の弾圧力に抗して僅かに上方に移動するように構成されている。
この状態では、例えば、このスイッチ装置が、パワーウインドスイッチである場合、ウインドガラスを開く方向にモータを切り替えている。
【００８０】
このツマミ部材７の押圧による回動動作を解除すると、バネ部材６の自己復帰力によって、駆動体５の作動部５ａの押圧が立ち上がり部４ｂから平坦部４ａに変位することによって、元の位置に復帰し、この作動部５ａの復帰によって、他方の可動接点部４が第１の切り替え状態に戻るように動作する。このように、可動接点部４は、シーソー動作を行うように構成されている。
【００８１】
この状態のとき、他方の駆動体５の一対の凸部５ｂが、ケース２の一対の凹部２ｊ内をバネ部材６の弾圧力によって、僅かに下方に移動するように構成されている。
【００８２】
次に、図７に示す状態から、ツマミ部材７の上壁部７ａの他方の端部（図７の左側）を押圧して、ツマミ部材７を貫通孔７ｃを中心にして反時計回り方向に回動（図１１参照）させると、他方の駆動体５のレバー部５ｃ（図１１の後面側のレバー部５ｃ）は、ツマミ部材７の他方の操作部７ｄがこのレバー部５ｃから離間されることから図１１の後面側のスイッチ素子は、第１の切り替え状態を保持する。
【００８３】
以下の動作は、前述のツマミ部材７の時計回り方向への回動時における一方の駆動体５、一方の可動接点部４、一方の固定接点部３の一連の動作とほぼ同様であることから説明は、省略する。
この状態では、例えば、このスイッチ装置が、パワーウインドスイッチである場合、ウインドガラスを閉める方向にモータを切り替えている。
【００８４】
次に、本発明のスイッチ装置の第２の実施の形態について図面を用いて説明すると、図１２は、本発明のスイッチ装置の第２の実施の形態を示す分解斜視図である。
このスイッチ装置は、いわゆる、一組のスイッチ素子のみを有する単極・双投型のスイッチ装置である。
【００８５】
筐体２１は、絶縁性合成樹脂材料から成り、成形加工によって形成された略箱形のケース２２と、ケース２２内にインサートモールド加工され、一部がケース２２から外方に延設され、金属製材料から成る一組の固定接点部２３とを有している。
【００８６】
ケース２２は、矩形の底壁２２ａと、底壁２２ａから前方に延設され、対向する一対の側壁２２ｂと、一対の側壁２２ｂの上端に設けられた上部が開放されたそれぞれ一対の凹部２２ｃと、一対の側壁２２ｂの上端側に設けられた開放された開放部２２ｄと、一方の側壁２２ｂの外側面であって、一方の凹部２２ｃの近傍に設けられたストッパ部２２ｅとを有している。
【００８７】
また、一対の凹部２２ｃは、その中心の軸線が同一軸線上であるように設けられている。
【００８８】
そして、このケース２２と前述の第１の実施の形態のケース２との構成の相違は、このケース２２が、一組のスイッチ素子のみを有する単極・双投型のスイッチ装置であると共に、一方の側壁２２ｂと開放部２２ｄとを有しているのに対して、第１の実施の形態のケース２は、二組のスイッチ素子を有する双極・双投型のスイッチ装置であると共に、四方を囲む第１、第２側壁２ｂ、２ｃとふたつの開口部２ｅ、２ｆとを有していることが一部の相違である。
【００８９】
固定接点部２３は、前述の第１の実施の形態にて説明した前記固定接点部３と同様の構成、及び配置であることから、詳細な説明は省略する。そして、この固定接点部２３は、一組のみで構成され、構成の一部として、一組の第１、第２、及び第３端子２３ａ、２３ｂ、２３ｃを有している。
【００９０】
また、可動接点部２４と、駆動体２５とは、前記固定接点部２３と同様に前述の第１の実施の形態にて説明した前記可動接点部４と、前記駆動体５と同様の構成、及び配置であることから、詳細な説明は省略する。
【００９１】
復帰用手段としてのバネ部材２６は、弾性を有する金属製の平板材料から成り、プレス加工によって形成され、ひとつのバネ部２６ａと、バネ部２６ａの対向する一方の端部から略垂直に下方に延びる一対の側壁２６ｂと、各側壁に設けられた２個の貫通孔（図示せず）とを有している。
【００９２】
また、バネ部２６ａは、平板状の抑え部２６ｃと、抑え部２６ｃから傾斜する一対の傾斜部２６ｄとを有している。
【００９３】
このバネ部材２６は、バネ部２６ａがケース２２の上部に形成された開放部２２ｄを覆うように配設され、バネ部材２６の各貫通孔（図示せず）が各側壁２２ｂの対向する端面に例えば、スナップ係合などの適宜手段にて係合され、バネ部材２６がケース２２に確実に取付られている。
【００９４】
次に、この第２の実施の形態のスイッチ装置の組立方法、及び動作の説明についてだが、この組立方法、及び動作は、前述の第１の実施の形態のスイッチ装置の組立方法、及び動作とほぼ同様であることから、詳細な説明は省略する。
【００９５】
そして、この第２の実施の形態のスイッチ装置の動作の第１の実施の形態のスイッチ装置の動作との相異点は、第１の実施の形態のスイッチ装置の動作が互い違いに配設された二組のスイッチ素子を動作させるために、このスイッチ装置上に配設されたツマミ部材７（図７参照）は、時計回り方向、及び反時計回り方向に揺動可能に配設されているが、この第２の実施の形態のスイッチ装置は一組のスイッチ素子を動作させるために、ツマミ部材７は、時計回り方向、又は反時計回り方向のいづれか一方のみに揺動可能に配設されている点である。
【００９６】
次に、本発明のスイッチ装置の参考例の形態について図面を用いて説明すると、図１３は、本発明のスイッチ装置の第１の参考例の形態を示す分解斜視図である。そして、このスイッチ装置は、いわゆる、一組のスイッチ素子のみを有する単極・双投型のスイッチ装置である。
【００９７】
図１３に示すように、筐体３１は、絶縁性合成樹脂材料から成り、成形加工によって形成された略箱形のケース３２と、ケース３２内にインサートモールド加工され、一部がケース３２から外方に延設され、金属製材料から成る一組の固定接点部３３とを有している。
【００９８】
ケース３２は、矩形の底壁３２ａと、この底壁３２ａの一方の対向する外周端部から前方に垂直に延びる対向する一対の側壁３２ｂと、一対の側壁３２ｂのそれぞれ同軸である所定の箇所に設けられた一対の貫通孔３２ｃと、上方に設けられた開放部３２ｄと、一方の側壁３２ｂの内側面であって、一方の貫通孔３２ｃの近傍に設けられたストッパ部３２ｅとを有している。
そして、ケース３２の側壁３２ｂの一対の貫通孔３２ｃが、いわゆる、前述の凹部を構成している。
【００９９】
固定接点部３３は、前述の第１の実施の形態のスイッチ装置の固定接点部３と同様の構成、及び配置であることから、詳細な説明は、省略する。
そして、この固定接点部３３は、一組のみで構成され、構成の一部として、一組の第１、第２、及び第３端子３３ａ、３３ｂ、３３ｃを有している。
【０１００】
可動接点部３４は、前述の第１の実施の形態のスイッチ装置の可動接点部４と同様の構成に形成されていることから、詳細な説明は、省略する。
そして、この可動接点部３４と前述の可動接点部４との相異点は、この可動接点部３４が、弾性を有する導電金属製材料から成り、プレス加工によって形成されているのに対し、前述の可動接点部４は、硬性である導電金属製材料から成ることである。
【０１０１】
この可動接点部３４は、平坦部３４ａと、立ち上がり部３４ｂと、接点部３４ｃとを有している。
そして、この弾性を有する可動接点部３４は、弾性を有する導電金属製材料から成ることから、例えば、接点部３４ｃが立ち上がり部３４ｂから弾性によって撓むように変形・移動されることができるように形成されている。
即ち、この弾性を有する可動接点部３４が、いわゆる、後述する駆動体３５を元の位置に復帰させるための復帰用手段を構成している。
【０１０２】
この可動接点部３４は、ケース３２内に適宜手段にて配置されると共に、ケース３２内にて、第１固定接点（図示せず）を支点として、シーソー運動を成すことが出来るように配設されている。
このとき、可動接点部３４の接点部３４ｃが、第２固定接点３３ｄと対向して配設されていると共に、平坦部３４ａが第３固定接点（図示せず）と対向して配設されている。
【０１０３】
駆動体３５は、前述の第１の実施の形態のスイッチ装置の駆動体５とほぼ同様の構成に形成されていることから、詳細な説明は、省略する。
そして、ここでは、この駆動体３５の第１の実施の形態の駆動体５との構成の相違について説明する。
【０１０４】
この駆動体３５は、作動部３５ａと、一対の凸部３５ｂと、レバー部３５ｃとを有していると共に、各凸部３５ｂは、それぞれ太径部３５ｄと、細径部３５ｅとを有している。
また、一方の凸部３５ｂの細径部３５ｅの長さ寸法は、他方の細径部３５ｅの長さ寸法よりも長く形成されており、レバー部３５ｃが、一方の細径部３５ｅの略中間部から凸部３５ｂの軸心に対して、直交する方向に延設されている。
【０１０５】
この駆動体３５は、一対の凸部３５ｂの各細径部３５ｅのそれぞれの先端が、ケース３２の一対の貫通孔３２ｃ内に挿通されており、この挿通によって、作動部３５ａが回動することができるように配設されている。
この状態のとき、作動部３５ａの先端が、平坦部３４ａと立ち上がり部３４ｂとの連結部分の近傍の表面に当接されている。
【０１０６】
また、駆動体３５のレバー部３５ｃは、ケース３２の一対の側壁３２ｂのうちの一方の側壁３２ｂの近傍に配設されている。
【０１０７】
上述の如く、第１の参考例の形態のスイッチ装置は、ケース３２と一組の固定接点部３３とを有する筐体３１と、ひとつの可動接点部３４と、ひとつの駆動体３５との３個の部材によって構成されている。即ち、一組の固定接点部３３と、ひとつの可動接点部３４と、ひとつの駆動体３５とによって一組のスイッチ素子が構成されている。
【０１０８】
次に、この第１の参考例の形態のスイッチ装置の組み立て方法について説明する。
先ず、ケース３２と固定接点部３３とを有する筐体３１が、開放部３２ｄを上面側にして、所定の組み込み搬送治具（図示せず）上に載置する。
【０１０９】
次に、ケース３２の開放部３２ｄから可動接点部３４を所定の向きであるように各固定接点部３３上に挿入・配置する。
次に、ケース３２の開放部３２ｄの初期の幅寸法を所定の幅寸法に広げるように成す所定の組み込み治具（図示せず）を開放部３２ｄに配設し、この組み込み治具によって、開放部３２ｄの幅寸法を所定の幅寸法に広げるようにする。
【０１１０】
次に、開放部３２ｄの幅寸法が広げられた状態で、駆動体３５の作動部３５ａの自由端を下方にして、一対の凸部３５ｂの各細径部３５ｅをケース３２の側壁３２ｂの各貫通孔３２ｃ内に挿入・配置する。
次に、開放部３２ｄの幅寸法を所定の幅寸法に広げるための組み込み治具を取り外して、開放部３２ｄの幅寸法を元の幅寸法に戻す。
【０１１１】
この開放部３２ｄの幅寸法が元の幅寸法に戻ることによって、一対の凸部３５ｂの各細径部３５ｅが各貫通孔３２ｃ内に確実に挿入・配置される。
このとき、駆動体３５のレバー部３５ｃは、底壁３２ａ面に対して平行に配設されると共に、ケース３２のストッパ部３２ｅの近傍に配置されている。
また、駆動体３５の作動部３５ａの自由端が、可動接点部３４上に当接・配置されている。
【０１１２】
次に、この第１の参考例の形態のスイッチ装置の動作について説明する。
先ず、このスイッチ装置が操作される前のとき、駆動体３５のレバー部３５ｃは、底壁３２ａに対して平行であって、前述の第１の実施の形態のスイッチ装置のときと同様に、駆動体３５が中立位置に置かれており、このスイッチ素子は、可動接点部３４が第１固定接点３３ａと第３固定接点３３ｃとに接触されて、第１、第３固定接点３３ａ、３３ｃ間がオン（接触）状態になっていると共に、第１固定接点３３ａと第２固定接点３３ｂとが離間されて、第１、第２固定接点３３ａ、３３ｂ間がオフ（非接触）状態の第１の切り替え状態になっている。
【０１１３】
次に、この状態から、駆動体３５のレバー部３５ｃを適宜手段によって時計回り方向に回動させると、レバー部３５ｃの回動によって、作動部３５ａが可動接点部３４の平坦部３４ａから立ち上がり部３４ｂ上を摺動（変位）して、可動接点部３４が第１固定接点３３ａを支点に回動させられると共に、弾性を有する立ち上がり部３４ｂが弾性変位して、可動接点部３４の接点部３４ｃと第２固定接点３３ｂとが接触してオンとなり、第１固定接点３３ａと第２固定接点３３ｂとが離間されてオフ（非接触）となる第２の切り替え状態となる。
【０１１４】
また、この状態のとき、駆動体３５の一対の凸部３５ｂは、いわゆる凹部を構成する一対の貫通孔３２ｃ内に挿入されていることから、駆動体３５が一対の凸部３５ｂの軸心を中心として回動するように構成されている。
【０１１５】
次に、このレバー部３５ｃへの押圧による回動動作を解除すると、弾性を有する可動接点部３４の自己復帰力によって、駆動体３５の作動部３５ａの押圧が立ち上がり部３４ｂから平坦部３４ａに変位することによって、元の位置に復帰し、この作動部３５ａの復帰によって、可動接点部３４が第１の切り替え状態に戻るように動作する。
【０１１６】
次に、本発明のスイッチ装置の第２の参考例の形態について図面を用いて説明すると、図１４は、本発明のスイッチ装置の第２の参考例の形態を示す分解斜視図である。そして、このスイッチ装置は、いわゆる、一組のスイッチ素子のみを有する単極・双投型のスイッチ装置である。
【０１１７】
図１４に示すように、この第２の参考例の形態のスイッチ装置の基本的な構成は、前述の第１の参考例の形態のスイッチ装置の構成とほぼ同一の構成であることから、同一構成には、同一符号を付与して、詳細な説明は省略する。
【０１１８】
このことから、第２の参考例の形態のスイッチ装置については、第１の参考例の形態のスイッチ装置との相違のみについて説明する。
先ず、その相違については、前述の第１の参考例の形態のスイッチ装置においては、凹部を構成する一対の貫通孔３２ｃが、前記ケース３２の側壁３２ｂに設けられていると共に、一対の凸部３５ｂが、前記駆動体３５に設けられている。そして、駆動体３５の一対の凸部３５ｂが、ケース３２の一対の貫通孔３２ｃ内に配設された構成である。
【０１１９】
一方、この第２の参考例の形態のスイッチ装置においては、ケース３２の側壁３２ｂの対向する内側面に一対の凸部３２ｍが設けられていると共に、駆動体３５の一対の凸部３５ｂの各細径部３５ｅの先端部に、各細径部３５ｅと同軸上に一対の凹部３５ｆが設けられている。そして、ケース３２の一対の凸部３２ｍが、駆動体３５の一対の凹部３５ｆ内に配設された構成である。
【０１２０】
いわゆる、第１の参考例の形態のスイッチ装置と第２の参考例の形態のスイッチ装置とでは、凹部と凸部とがそれぞれ異なる状態であるように配設された構成である。
【０１２１】
また、この第２の参考例の形態のスイッチ装置の組立方法、及び動作については、前述の第１の参考例の形態のスイッチ装置とほぼ同様であることから、説明は省略する。
【０１２２】
次に、本発明のスイッチ装置の第３の参考例の形態について図面を用いて説明すると、図１５は、本発明のスイッチ装置の第３の参考例の形態を示す断面図である。
このスイッチ装置は、一組のスイッチ素子を有する単極・単投型のスイッチ装置として説明する。
【０１２３】
図１５に示すように、ケース５１は、矩形の底壁５１ａと、この底壁５１ａから延び、四方を囲む側壁５１ｂと、側壁５１ｂの上方に設けられた開口部５１ｃと、一方の対向する側壁５１ｂに同軸上に設けられた一対の孔５１ｄとを有している。
【０１２４】
固定接点部５２は、第１固定接点５２ａと、第１固定接点５２ａから所定の距離だけ離間されて配設された第２固定接点５２ｂとを有している。
そして、第１固定接点５２ａは、第１接触部５２ｃと、第１接触部５２ｃから延設された第１端子５２ｄとを有している。
また、第２固定接点５２ｂは、第２接触部５２ｅと、第２接触部５２ｅから延設された第２端子５２ｆとを有している。
【０１２５】
この第１固定接点５２ａと第２固定接点５２ｂとから成る固定接点部５２は、ケース５１の底壁５１ａにインサートモールド加工され、第１接触部５２ｃと第２接触部５２ｅとが底壁５１ａの内壁面に露出されて配設されている。
【０１２６】
可動接点部５３は、弾性を有する導電金属製の平板材料から成り、一方の端部側に形成された平坦部５３ａと、平坦部５３ａの一方の端部から傾斜した状態で延設された立ち上がり部５３ｂと、立ち上がり部５３ｂの一方の端部から延設された接点部５３ｃとを有している。
即ち、この可動接点部５３は、左右が非対称の形状に形成されている。
【０１２７】
また、平坦部５３ａの一方の端部側は、前記第２固定接点５２ｂの第２接触部５２ｅから連設されて形成されており、このことから可動接点部５３は、前記第２固定接点５２ｂと一体化されている。このとき、可動接点部５３は、四方を囲む側壁５１ｂ内であって、底壁５１ａと対向して配設され、接点部５３ｃは、第１固定接点５２ａの第１接触部５２ｃとから離間（非接触）した位置に配置されている。
【０１２８】
そして、この弾性を有する可動接点部５３は、弾性を有する導電金属製材料から成ることから、例えば、接点部５３ｃが立ち上がり部５３ｂから弾性によって撓むように変形・移動されることができるように形成されている。
即ち、この弾性を有する可動接点部５３が、いわゆる、後述する駆動体５４を元の位置に復帰させるための復帰用手段を構成している。
【０１２９】
駆動体５４は、前述の第１の参考例の形態のスイッチ装置に係わる前記駆動体３４の構成とほぼ同一構成であって、作動部５４ａと、一対の凸部５４ｂと、レバー部５４ｃとを有していると共に、各凸部５４ｂは、それぞれ太径部（図示せず）と、細径部５４ｄとを有している。
また、一方の凸部５４ｂの細径部５４ｄの長さ寸法は、他方の細径部（図示せず）の長さ寸法よりも長く形成されており、レバー部５４ｃが、一方の細径部５４ｄの略中間部から凸部５４ｂの軸心に対して、直交する方向に延設されている。
【０１３０】
この第３の参考例の形態のスイッチ装置は、ケース５１と固定接点部５２と可動接点部５３とで一方のひとつの部材が構成され、駆動体５４が他方のひとつの部材が構成されて、二つの部材によって構成されている。
【０１３１】
次に、この第３の参考例の形態のスイッチ装置の動作について説明する。
このスイッチ装置は、前述の如く、固定接点部５２の第２固定接点５２ｂと、可動接点部５３の平坦部５３ａとが連設されて一体化されていることから、第２固定接点５２ｂと可動接点部５３とは、駆動体５４の非操作時、及び操作時に係わらず、常時導通（オン：接触）された状態にある。
【０１３２】
ここで、先ず、駆動体５４のレバー部５４ｃの非操作時の動作について説明すると、駆動体５４の作動部５４ａが底壁５１ａに対して垂直な状態に配設されると共に、作動部５４ａの自由端が可動接点部５３の平坦部５３ａに当接されている。このとき、可動接点部５３の接点部５３ｃは、固定接点部５２の第１固定接点５２ａから離間されており、スイッチ素子はオフ（非接触）の状態である。
【０１３３】
次に、駆動体５４のレバー部５４ｃの操作時の動作について説明すると、レバー部５４ｃがこのスイッチ装置の上方に配設されたツマミ部材（図示せず）の操作によって、時計回り方向に回動すると、作動部５４ａの自由端が平坦部５３ａから傾斜を有する立ち上がり部５３ｂ方向に傾斜に沿って移動する。
【０１３４】
この作動部５４ａの移動によって、弾性を有する立ち上がり部５３ｂが平坦部５３ａを支点として反時計回り方向に回動（押し下げられる）し、この立ち上がり部５３ｂの回動（押し下げられる）によって、接点部５３ｃが固定接点部５２の第１固定接点５２ａ（第１接触部５２ｃ）に接触し、スイッチ素子はオン（接触）の状態になる。
【０１３５】
次に、ツマミ部材（図示せず）の操作を解除すると、可動接点部５３の弾発力（復元力）によって、作動部５４ａが立ち上がり部５３ｂ上から変位し、元の位置に復帰されると共に、接点部５３ｃが、第１固定接点５２ａから離間して、スイッチ素子は元のオフ（非接触）の状態になる。この作動部５４ａの元の位置への復帰の際、レバー部５４ｃは、反時計回り方向に回動する。
【０１３６】
次に、本発明のスイッチ装置の第３の実施の形態について図面を用いて説明すると、図１６は、本発明のスイッチ装置の第３の実施の形態を示す第１の断面図、図１７は、本発明のスイッチ装置の第３の実施の形態を示す第２の断面図である。
このスイッチ装置は、一組のスイッチ素子を有する単極・単投型のスイッチ装置として説明する。また、このスイッチ装置は、前述の第１の実施の形態のスイッチ装置と同一構成には、同一符号を付与して、説明は省略する。
【０１３７】
そして、ここでは、前述の第１の実施の形態のスイッチ装置と第３の実施の形態のスイッチ装置との構成の相違について説明する。
この相違は、第１の実施の形態のスイッチ装置では、固定接点部３が第１、第２、及び第３固定接点３ａ、３ｂ、３ｃと、各第１、第２、及び第３固定接点３ａ、３ｂ、３ｃの第１、第２、及び第３端子３ｅ、３ｇ、３ｊとを備えているが、この第３の実施の形態のスイッチ装置では、固定接点部３が第１、及び第２固定接点３ａ、３ｂと、各第１、及び第２固定接点３ａ、３ｂの第１、及び第２端子３ｅ、３ｇとのみを備えている。
【０１３８】
即ち、この第３の実施の形態のスイッチ装置は、第３固定接点３ｃを備えていない構成となっている。
この構成によって、単極・単投型のスイッチ装置が形成される。
なお、ここでは、このスイッチ装置が単極・単投型のスイッチ装置であるとして説明したが、このスイッチ装置を二個並設して、双極・単投型のスイッチ装置としても良いことは勿論である。
【０１３９】
また、この第３の実施の形態のスイッチ装置の動作は、前述の第１の実施の形態の双極・双投型のスイッチ装置の動作とほぼ同様であって、その相違は、前述の如く、この第３の実施の形態のスイッチ装置が単投型のスイッチ装置である点での違いのみであることから説明は、省略する。
【０１４０】
なお、上述の実施の形態の復帰用手段をバネ性のある平板状のバネ部材によって形成したが、これに限定されず、復帰用手段を例えば、ゴムなどの弾性部材や、線バネなどによって形成しても良い。
【０１４１】
【発明の効果】
以上のように、本発明のスイッチ装置は、底壁、及びこの底壁から延びる少なくとも対向する一対の側壁を有するケースと、ケースの底壁に設けられた固定接点部と、ケース内に配置された可動接点部と、一対の側壁に回動可能に取り付けられた駆動体と、駆動体を元の位置に復帰させるための復帰用手段とを備え、駆動体は、可動接点部を可動するための作動部と、作動部を回動させるための操作部とを有し、駆動体の操作部が駆動された際、作動部が回動されて、作動部によって、可動接点部が可動されて、可動接点部が固定接点部に接触すると共に、操作部の駆動が解除された際、復帰用手段によって、駆動体は、可動接点部と固定接点部とが非接触状態と成るように元の状態に復帰することによって、部品点数が少なく、また、部品を順次、上方向から積み重ねる方法で組み立てることが出来るので組立が容易で、小型化可能なスイッチ装置を提供することが出来る。
【０１４２】
また、本発明のスイッチ装置は、駆動体が、バネ部材によって底壁側に付勢され、バネ部材の付勢力によって、駆動体が元の状態に復帰するようにしたことによって、駆動体とバネ部材との配置と動作が単純であることから構成が容易で、安価なスイッチ装置を提供することが出来る。
【０１４３】
また、本発明のスイッチ装置は、駆動体は、バネ部材によって底壁側に付勢されている駆動体の作動部の回動時、バネ部材の付勢に抗して底壁側から離間する方向に移動すると共に、回動動作を行って、作動部が可動接点部を可動させて、可動接点部が固定接点部に接触すると共に、駆動体の回動が解除された際、バネ部材によって、駆動体は、可動接点部と固定接点部とが非接触状態と成るように元の状態に復帰することによって、バネ部材の動作が単純であることから、駆動体の動作に無理がなく、安定した性能のスイッチ装置を提供することが出来る。
【０１４４】
また、本発明のスイッチ装置は、駆動体の操作部がケースの外に位置すると共に、ストッパ部がケースの外に配設され、操作部がストッパ部にぶつかって、回動範囲の規制がされることによって、ケースの外に操作部が位置していることから、操作部の操作が容易にでき、操作、及び構成の簡単なスイッチ装置を提供する。
【０１４５】
また、本発明のスイッチ装置では、駆動体は、凸部を有すると共に、ケースは、凹部を有し、凸部が凹部内に配設され、駆動体がケースに回動自在に取付られていることによって、駆動体の凸部と、ケースの凹部との形成が一層容易で、組立が簡単で安価なスイッチ装置を提供することが出来る。
【０１４６】
また、本発明のスイッチ装置は、側壁の凹部は、駆動体の凸部の径寸法とほぼ等しい幅寸法を有して設けられ、凸部が凹部内を上下方向に移動可能に配設されていることによって、駆動体の凸部が凹部内を上下方向に移動可能であることから、凸部に無理な力が掛からず、長期間安定した性能を保持するスイッチ装置を提供することができる。
【０１４７】
また、本発明のスイッチ装置は、可動接点部は、作動部の押圧が平坦部から立ち上がり部に変位することによって、シーソー動作を行って、可動接点部が固定接点部に接触すると共に、作動部の押圧が立ち上がり部から平坦部に変位することによって、元の状態になるようにシーソー動作を行って、可動接点部が固定接点部から非接触となることによって、可動接点部のシーソー動作が、駆動体の操作部の単純な動作によって行うことが出来るので、安定した動作のスイッチ装置を提供することが出来る。
【０１４８】
また、本発明のスイッチ装置では、固定接点部は、第３固定接点を有し、駆動体の非駆動時、可動接点部が第１固定接点と第３固定接点とに接触されて、第１、第３固定接点間がオン状態となっており、駆動体が駆動されたときに可動接点部の平坦部が第３固定接点から離間し、第１、第３固定接点間がオフ状態となると共に、且つ、可動接点部が第２固定接点に接触して、第１、第２固定接点間がオン状態になるようにしたことによって、部品点数の少ない、安価な単極・双投型のスイッチ装置を提供することが出来る。
【０１４９】
また、本発明のスイッチ装置は、固定接点部と、可動接点部と、駆動体と、復帰用手段とによって、一組のスイッチ素子を構成して、二組のスイッチ素子をケース内に並設したことによって、部品点数の少なく、組立が簡単で安価な双極・双投型のスイッチ装置を提供することが出来る。
【０１５０】
また、本発明のスイッチ装置では、二組のスイッチ素子の一部を構成する二つの可動接点部は、それぞれの平坦部の向きが逆になるように、ケースに対して互い違いに配設したことによって、非対称の二つの可動接点部をケースに対して互い違いに配設したので、ケースの長手方向の寸法を短い寸法で形成出来、小型化が可能なスイッチ装置を提供することが出来る。
【図面の簡単な説明】
【図１】本発明のスイッチ装置の第１の実施の形態を示す分解斜視図である。
【図２】本発明のスイッチ装置の第１の実施の形態を示す斜視図である。
【図３】本発明のスイッチ装置に係わるケースと固定接点部の実施の形態を示す平面図である。
【図４】本発明のスイッチ装置に係わり、スイッチ装置からバネ部材を取り外した状態を示す平面図である。
【図５】本発明のスイッチ装置に係わる駆動体の実施の形態を示す斜視図である。
【図６】図２の６−６線における断面図である。
【図７】本発明のスイッチ装置に係わり、スイッチ装置とこのスイッチ装置を操作するツマミ部材とを説明する一部断面にした正面図である。
【図８】本発明のスイッチ装置に係わり、スイッチ装置とこのスイッチ装置を操作するツマミ部材とを説明する一部断面にした側面図である。
【図９】本発明のスイッチ装置の動作を説明する第１の動作説明図である。
【図１０】本発明のスイッチ装置の動作を説明する断面図である。
【図１１】本発明のスイッチ装置の動作を説明する第２の動作説明図である。
【図１２】本発明のスイッチ装置の第２の実施の形態を示す分解斜視図である。
【図１３】本発明のスイッチ装置の第１の参考例の形態を示す分解斜視図である。
【図１４】本発明のスイッチ装置の第２の参考例の形態を示す分解斜視図である。
【図１５】本発明のスイッチ装置の第３の参考例の形態を示す分解斜視図である。
【図１６】本発明のスイッチ装置の第３の実施の形態を示す第１の断面図である。
【図１７】本発明のスイッチ装置の第３の実施の形態を示す第２の断面図である。
【図１８】従来のスイッチ装置を示す分解斜視図である。
【図１９】従来のスイッチ装置を示す断面図である。
【符号の説明】
１    筐体
２    ケース
２ａ  底壁
２ｂ  第１側壁（側壁）
２ｃ  第２側壁（側壁）
２ｄ  第３側壁
２ｅ  第１の開口部（開口部）
２ｆ  第２の開口部（開口部）
２ｊ、２ｋ  凹部
２ｍ  突部
２ｎ  ストッパ部
３    固定接点部
３ａ  第１固定接点
３ｂ  第２固定接点
３ｃ  第３固定接点
４    可動接点部
４ａ  平坦部
４ｂ  立ち上がり部
４ｃ  接点部
５    駆動体
５ａ  作動部
５ｂ  凸部
５ｃ  レバー部
６    バネ部材（復帰用手段）
６ａ  スリット
６ｂ  第１のバネ部
６ｃ  第２のバネ部
６ｅ  貫通孔
７    ツマミ部材
【図１】
0004121754.tif 000002
【図２】
0004121754.tif 000003
【図３】
0004121754.tif 000004
【図４】
0004121754.tif 000005
【図５】
0004121754.tif 000006
【図６】
0004121754.tif 000007
【図７】
0004121754.tif 000008
【図８】
0004121754.tif 000009
【図９】
0004121754.tif 000010
【図１０】
0004121754.tif 000011
【図１１】
0004121754.tif 000012
【図１２】
0004121754.tif 000013
【図１３】
0004121754.tif 000014
【図１４】
0004121754.tif 000015
【図１５】
0004121754.tif 000016
【図１６】
0004121754.tif 000017
【図１７】
0004121754.tif 000018
【図１８】
0004121754.tif 000019
【図１９】
0004121754.tif 000020